(57)【要約】【課題】  人体型に着せた上着を、仕上げに最適な高さに、簡単、迅速に配置できるようにし、この種の高さ調節にかかる手間暇を一掃し、仕上げ作業の能率の向上を図る。【解決手段】  上着１を着せる人体型２と、この人体型２を昇降動作する駆動装置３とを備え、人体型２に着せた上着１の内部に蒸気と熱風を供給して上着１を平滑仕上げする。人体型２と共に上昇する上着１の裾が通過することにより信号を出力する検出器４と、この検出器４からの出力信号を受けて駆動装置３の上昇駆動を停止させる制御部５とを備える。【選択図】      図１
2007117323.tif 000002
【特許請求の範囲】
【請求項１】
上着を着せる人体型と、この人体型を昇降動作する駆動装置とを備え、人体型に着せた上着の内部に蒸気と熱風を供給して上着を平滑仕上げする上着の立体仕上げ装置であって、上記の人体型と共に上昇する上着の裾が通過することにより信号を出力する検出器と、この検出器からの出力信号を受けて上記駆動装置の上昇駆動を停止させる制御部とを備えて形成されていることを特徴とする上着の裾検出機能付き立体仕上げ装置。
【請求項２】
請求項１記載の上着の裾検出機能付き立体仕上げ装置であって、検出器が光センサであることを特徴とする上着の裾検出機能付き立体仕上げ装置。
【発明の詳細な説明】
【技術分野】
【０００１】
本発明は、背広やジャケット、或いはコートなどの上着の立体仕上げ装置に関し、更に詳しくは人体型に着せた背広等の上着の裾（上着の下の縁）を検出し、上着を仕上げに最適な高さに楽に配置できるよう形成した上着の裾検出機能付き立体仕上げ装置に関するものである。
【背景技術】
【０００２】
従来この種の装置としては、人体型に着せた上着の前後の裾を押さえるため、人体型の前後の下部に、前側の裾押さえと後側の裾押さえを、人体型に向かって進退動作自在に設け、また人体型に着せた上着の両側の裾を側方に押し拡げて緊張するための左右一対の脇張りを、人体型の下方に設けているものがある（例えば特許文献１参照）。
【０００３】
ところで、この種の装置の場合は、人体型に上着を着せた後、上着の裾を裾押さえや脇張りで正確に押圧したり、緊張できるよう、上着を仕上げに最適な高さに配置する必要がある。
そのため従来は、人体型の昇降用エアシリンダを、フットスイッチや膝スイッチを何回も押して駆動し、人体型の高さを微調整して、この種の位置決め作業を行っていた。
従って従来の装置によると、上着のこの種の高さ調節に手間暇がかかったから、上着の仕上げ作業の能率が低下するのを避けられなかった。
【特許文献１】実開昭５９−１４８７９４号公報
【発明の開示】
【発明が解決しようとする課題】
【０００４】
本発明は、このような従来の実情に鑑み、提案されたものである。
従って本発明の解決しようとする技術的課題は、人体型に着せた上着を、仕上げに最適な高さに、簡単、迅速に配置できるようにし、この種の高さ調節にかかる手間暇を一掃し、仕上げ作業の能率の向上を図ることができるよう形成した上着の裾検出機能付き立体仕上げ装置を提供することにある。
【課題を解決するための手段】
【０００５】
本発明は、上記の課題を解決するため、次のような技術的手段を採る。
即ち本発明は、図１等に示されるように、上着１を着せる人体型２と、この人体型２を昇降動作する駆動装置３とを備え、人体型２に着せた上着１の内部に蒸気と熱風を供給して上着１を平滑仕上げする上着１の立体仕上げ装置であって、上記の人体型２と共に上昇する上着１の裾が通過することにより信号を出力する検出器４と、この検出器４からの出力信号を受けて上記駆動装置３の上昇駆動を停止させる制御部５とを備えて形成されていることを特徴とする（請求項１）。
【０００６】
本発明の場合、上記の駆動装置３としては、例えばエアシリンダやモータなどがある。また制御部５は、マイクロコンピュータやシーケンサで構成される。
【０００７】
而して本発明の場合、上記の検出器４は光センサであるのが好ましい（請求項２）。
なぜならこれによると、上着１の裾を非接触で生地を傷めることなく、精度良く検出できるからである。
【発明の効果】
【０００８】
本発明は、このように人体型と共に上昇する上着の裾が通過することにより信号を出力する検出器と、この検出器からの出力信号を受けて人体型を昇降動作する駆動装置の上昇駆動を停止させる制御部５とを備えて形成しているものである。
従って本発明の場合は、人体型の昇降動作を繰り返して微調整する、面倒で手間暇のかかる操作を一掃できる。それ故これによれば、人体型に着せた上着を、仕上げに最適な高さに、簡単、迅速に配置でき、上着の仕上げ作業の能率を上げることができる。
【発明を実施するための最良の形態】
【０００９】
以下、本発明を実施するための最良の形態を説明する。
図１等において、１は背広やコート等の上着であり、２は人体の胸部を模した人体型である。人体型２は、この実施形態では駆動装置３としての人体型用エアシリンダで昇降動作自在に形成されている。
【００１０】
４は、上着１の裾が通過することにより信号を出力する検出器である。この検出器４は、この実施形態では光センサで構成され、図２に示されるように、人体型２の後側の下方に設けられている。この検出器４としての光センサは、人体型２と共に上昇する上着１の裾が、光路を通過するときの光量の変化を検知し、信号を出力する。
【００１１】
５は、検出器４からの出力信号を受け、駆動装置３としての人体型用エアシリンダのロッドの上昇駆動を停止させる制御部である。この制御部５は、この実施形態ではマイクロコンピュータで構成され、人体型２の前側下方の制御盤６（図２、図３参照）に内蔵されている。制御部５の入力ポートには、上記の検出器４のほか、この実施形態では例えばオートスタートボタン（ＳＷ１）、人体型２の上昇用ペダル（ＳＷ２）、フィニッシュボタン（ＳＷ３）、及びタイマー設定部７等が電気的に接続されている。また出力ポートには、駆動装置３としての人体型用エアシリンダ、人体型２に着せた上着１を蒸らすための蒸気発生装置８、上着１を乾燥仕上げするための熱風発生装置９、及び後述する各種のエアシリンダ等が電気的に接続されている。
【００１２】
また本発明の装置は、図２、図３に示されるように、人体型２の前後に、上着１の前後の裾を押さえるための前後一対の裾押さえ１０が設けられている。１１は前側の裾押さえ用エアシリンダであり、１２は後側の裾押さえ用エアシリンダである。またこの実施形態に係る本発明の装置は、人体型２に着せた上着１の両側の裾を外側方に押し拡げて緊張するための左右一対の脇張り１３と、この脇張り１３と協働して上着１の両側の裾を挟んで押さえる脇押さえ１４を備えて形成されている。脇張り１３は、脇張り用エアシリンダ１５のロッドの伸縮動作で側方に進退動作する。また脇押さえ１４は、脇張り１３の下端に垂下状に設けられている、正面視で鉤形状の支持部材１６（図３参照）に、起伏動作自在に設けられている。１７は、脇押さえ１４を起伏動作させる脇押さえ用エアシリンダである。なお前後一対の裾押さえ１０の受け鏝１８と、脇張り１３との間には、耐熱性の布１９が、脇張り１３の側方への移動に制限を与えないよう余裕を持って張られ、上着１の内部に供給される蒸気や熱風を逃さないよう形成されている。
【００１３】
次に本発明の装置による仕上げ作業の一例を、図４〜図６に従って説明する。
【００１４】
通常、上着１には、背広やジャケットのように丈の短いものと、コート類のように丈の長いものとがある。丈の短い上着１は、仕上げに最適な位置に配置したとき、上着１の中心が人体型２の中心から比較的ずれにくい。従ってこの場合は、図５に示されるように、上着１を人体型２に着せた後、オートスタートボタン（ＳＷ１）を押すことにより、ほぼ全ての工程を自動的に行うことができる。
即ち、作業者は、先ず人体型２に上着１を着せ、肩を張る（図５Ａ参照）。次にオートスタートボタン（ＳＷ１）を押す。すると、制御部５からの信号により、駆動装置３としての人体型用エアシリンダの電磁弁が開き、人体型用エアシリンダのロッドが伸び、人体型２が上昇する。
【００１５】
而して人体型２に上着１を着せたとき、検出器４の光路は、上着１の後身頃で遮断されている。そして上着１が人体型２と共に上昇し、裾が光路を通過すると光量が変化するため、検出器４がオンになり、検出信号を制御部５に出力する。制御部５は、この信号を受け、且つこの実施形態ではタイマー設定部７に予め設定しておく設定時間（例えば２秒）が経過すると、電磁弁を閉じ、駆動装置３としての人体型用エアシリンダのロッドの上昇駆動を停止させる。これにより本発明では、上着１が仕上げに最適な高さに配置される（同図Ｂ参照）。
【００１６】
そして本発明の装置は、この状態で後側の裾押さえ用エアシリンダ１２（図２参照）、及び前側の裾押さえ用エアシリンダ１１（同図参照）が駆動し、上着１の前後の裾が、後側、前側の順に裾押さえ１０で固定される。また続いて脇張り用エアシリンダ１５が駆動し、脇張り１３が側方に移動して上着１の両側の裾を押し拡げ、その後、脇押さえ用エアシリンダ１７が駆動し、脇押さえ１４が両側の裾を脇張り１３に押し付けて固定する。そして上着１は、蒸気発生装置８から供給される蒸気で蒸らされ、人体型用エアシリンダのロッドが僅かに上昇することで縦方向に伸ばされ、皺が除去される。またその後、熱風発生装置９から熱風が上着１の内部に吹き付けられ、乾燥仕上げされる（図５Ｃ参照）。
【００１７】
そして作業者が、例えばフィニッシュボタン（ＳＷ３）を押すと、制御部５から、電磁弁にエア流路の切り換え信号が送られ、人体型用エアシリンダのロッドが収縮し、上着１が人体型２と共に下降し、セット位置に復帰する（同図Ｄ参照）。作業者は、この状態で人体型２から上着１を脱がし、仕上げ作業を終了する。
【００１８】
次に、丈の長いコート類の仕上げ作業を、図６に従って説明する。
先ず作業者は、上例と同様、上着１を、人体型２に着せ、肩を張る（図６Ａ参照）。次に、人体型２の上昇ペダル（ＳＷ２）を踏む。すると、上例と同様、人体型用エアシリンダのロッドが伸び、人体型２が上昇する。そして検出器４が、人体型２と共に上昇する上着１の裾を検出すると、制御部５に信号を出力する。制御部５は、この信号を受け、且つ設定時間が経過すると、人体型用エアシリンダのロッドの上昇駆動を停止する。これにより、上着１が、仕上げに最適な高さに配置される（同図Ｂ参照）。この場合、上着１の中心が人体型２の中心からずれているときは、作業者が手作業で上着１の中心を人体型２の中心に合わせる。
【００１９】
そして作業者は、オートスタートボタン（ＳＷ１）を押す。すると、上例と同様、上着１の裾が、後側、前側の順で固定され、また上着１の両側が、脇張り１３で側方に緊張されると共に、両裾が脇押さえ１４で固定される。その後、上着１は蒸気で蒸らされ、人体型２が少し上昇して縦方向に引っ張られて皺が伸ばされ、熱風で乾燥仕上げされる（同図Ｃ参照）。そして作業者は、フィニッシュボタン（ＳＷ３）を押す。これにより人体型２が下降し、上着１がセット位置に復帰する（同図Ｄ参照）。作業者は、この状態で人体型２から上着１を脱がして取り外す。
【図面の簡単な説明】
【００２０】
【図１】本発明の立体仕上げ装置の好適な一実施形態を示す構成図である。
【図２】同上装置の要部側面図である。
【図３】同上装置の要部斜視図である。
【図４】同上装置の作用を説明するためのフローチャートである。
【図５】同上装置の作業手順を説明するための工程図である。
【図６】同上装置の作業手順を説明するための工程図である。
【符号の説明】
【００２１】
１      上着
２      人体型
３      駆動装置
４      検出器
５      制御部
【図１】
2007117323.tif 000003
【図２】
2007117323.tif 000004
【図３】
2007117323.tif 000005
【図４】
2007117323.tif 000006
【図５】
2007117323.tif 000007
【図６】
2007117323.tif 000008